(57)【要約】【課題】底蓋を閉じた状態を確実に保持して保形力を高め、配送中に外力が加わったとしても底蓋が開いたり、軸断面が歪になることを防止する。【解決手段】第１底蓋形成片２１の外縁部側の傾斜部２１ａ及び第３底蓋形成片２７の第２底蓋形成片２３側の傾斜部２７ａの夫々上端部に係止突起３２，３３を形成する。第２底蓋形成片２３及び第４底蓋形成片２９の連結貼着片２５，３０側の傾斜部２３ａ，２９ａの夫々上端部を円弧状に形成する。【選択図】図２
0003162392.tif 000002
【実用新案登録請求の範囲】
【請求項１】
矩形形状の厚紙からなり、幅方向に等間隔に設けた３本の長手方向に沿った折線を介して前面部、左側面部、背面部、右側面部を形成すると共に、該右側面部の側縁に折線を介して貼着片を連成し、前記前面部、左側面部、背面部、右側面部の夫々の上端部に、折線を介して適宜の形状の上蓋形成片を連成する一方、前記前面部の下端部に、折線を介して外縁部側の傾斜部の角度を４５度、左側面部側の傾斜部の角度を７０度とした台形状の第１底蓋形成片を連成し、前記左側面部の下端部に、折線を介して上面部側の傾斜部の角度を４５度、背面部側の傾斜部の角度を８５度とすると共に高さを前記第１底蓋形成片より高くなし、更に上面部側の傾斜部の略中央に折線を介して台形状の連結貼着片を連成してなる台形状の第２底蓋形成片を連成し、前記背面部の下端部に、折線を介して前記第１底蓋形成片と同形、同大の第３底蓋形成片を連成し、前記右側面部の下端部に、折線を介して前記第２底蓋形成片と同形、同大の第４底蓋形成片を連成し、前記各折線から直角に折曲すると共に前記右側面部に連成した貼着片を前記前面部の内面に貼着して筒状になし、更に前記第１底蓋形成片、第２底蓋形成片、第３底蓋形成片、第４底蓋形成片を夫々折線から内向きに折曲して、前記第２底蓋形成片に連成した連結貼着片を、前記第１底蓋形成片の外面に貼着すると共に、前記第４底蓋形成片に連成した連結貼着片を、前記第３底蓋形成片の外面に貼着し、前記第２底蓋形成片の先端部は前記第３底蓋形成片の内面に入り込んで重合し、前記第４底蓋形成片の先端部は前記第１底蓋形成片の内面に入り込んで重合するようになした配送ケースにおいて、
前記第１底蓋形成片の外縁部側の傾斜部及び前記第３底蓋形成片の第２底蓋形成片側の傾斜部の夫々上端部に係止突起を形成すると共に、前記第２底蓋形成片及び前記第４底蓋形成片の連結貼着片側の傾斜部の夫々上端部を円弧状に形成したことを特徴とする配送ケース。
【考案の詳細な説明】
【技術分野】
【０００１】  本考案はポスターやカレンダー等を巻いた状態で収容し、郵便や宅配便により配送するときに用いる配送ケースに関するものである。
【背景技術】
【０００２】  ポスターやカレンダーはきれいに巻かれた状態のまま送り届けられることが望ましく、配送中に外部からの力が加わって歪になったり、皺ができると商品価値が下がり、また特にポスターの場合においては掲示したときにきれいに貼ることができず見栄えが悪い。【０００３】  また、ポスターやカレンダー等を配送するときにおいて用いる配送ケースとしては、図６乃至図１０に示したものが一般的であった。該図において１００は配送ケースであり、矩形形状の厚紙１０１からなり、幅方向に等間隔に設けた３本の長手方向に沿った折線１０２，１０３，１０４を介して前面部１０５、左側面部１０６、背面部１０７、右側面部１０８を形成すると共に、該右側面部１０８の側縁に折線１０９を介して貼着片１１０を連成し、前記前面部１０５、左側面部１０６、背面部１０７、右側面部１０８の夫々の上端部に、折線１１１，１１２，１１３，１１４を介して適宜の形状の上蓋形成片１１５，１１６，１１７，１１８を連成する一方、前記前面部１０５の下端部に、折線１１９を介して外縁部側の傾斜部１２０ａの角度を４５度、左側面部１０６側の傾斜部１２０ｂの角度を７０度とした台形状の第１底蓋形成片１２０を連成し、前記左側面部１０６の下端部に、折線１２１を介して上面部１０５側の傾斜部１２２ａの角度を４５度、背面部１０７側の傾斜部１２２ｂの角度を８５度とすると共に高さを前記第１底蓋形成片１２０より高くなし、更に上面部１０５側の傾斜部１２２ａの略中央に折線１２３を介して台形状の連結貼着片１２４を連成してなる台形状の第２底蓋形成片１２２を連成し、前記背面部１０７の下端部に、折線１２５を介して前記第１底蓋形成片１２０と同形、同大の第３底蓋形成片１２６を連成し、前記右側面部１０８の下端部に、折線１２７を介して前記第２底蓋形成片１２２と同形、同大の第４底蓋形成片１２８を連成し、前記各折線１０２，１０３，１０４から直角に折曲すると共に前記右側面部１０８に連成した貼着片１１０を前記前面部１０５の内面に貼着して筒状になし、更に前記第１底蓋形成片１２０、第２底蓋形成片１２２、第３底蓋形成片１２６、第４底蓋形成片１２８を夫々折線１１９，１２１，１２５，１２７から内向きに折曲して、前記第２底蓋形成片１２２に連成した連結貼着片１２４を、前記第１底蓋形成片１２０の外面に貼着すると共に、前記第４底蓋形成片１２８に連成した連結貼着片１２９を、前記第３底蓋形成片１２６の外面に貼着し、前記第２底蓋形成片１２２の先端部は前記第３底蓋形成片１２６の内面に入り込んで重合し、前記第４底蓋形成片１２８の先端部は前記第１底蓋形成片１２０の内面に入り込んで重合するようになしたものである。【０００４】  そして、該配送ケース１００は、保管時には図９に示す如く潰して扁平な状態としておき、使用時に開いて立体的な筒状になすものである。尚、扁平な状態のときには各底蓋形成片は夫々内側に折り畳まれている。そしてまた、この開いて立体的な筒状になすときには、図１０に示す如く、配送ケース１００をその対角から指で加圧するものであり、加圧により徐々に開いて筒状になるものである。そしてこのとき、第１底蓋形成片１２０は連結貼着片１２４をもって第２底蓋形成片１２２に連結して一体化され、また第３底蓋形成片１２６は連結貼着片１２９をもって第４底蓋形成片１２８に連結して一体化されているから、一体化された第１底蓋形成片１２０と第２底蓋形成片１２２、及び一体化された第３底蓋形成片１２６と第４底蓋形成片１２８は夫々同時に徐々に起立する。そして、最後には、図８に示す如く、第２底蓋形成片１２２の傾斜部１２２ａと第４底蓋形成片１２８の傾斜部１２８ａの夫々の略中央が底蓋の中心部において突き当たり、筒体となると共に底蓋ができ出来上がるものである。そしてまた、出来上がった状態は底蓋をもって保形されるものである。尚、筒体に組み立てた後は、内部にポスターやカレンダー（図示せず。）を収容し、各上蓋形成片１１５，１１６，１１７，１１８をもって蓋をするものである。このように、従来の配送ケース１００は、使用時において筒状に組み立てるとき、ワンタッチで行うことができて便利である。
【考案の概要】
【考案が解決しようとする課題】
【０００５】  従来の配送ケース１００は、しかしまた一方で、配送中に何らかの外力が加わったときに、保形の作用もなす底蓋が開き、真四角であるべき軸断面が歪になり易いという問題点がある。【０００６】  それは、保管時に長い間折り畳んだ状態のままであることから、前面部１０５、左側面部１０６、背面部１０７、右側面部１０８の夫々の下端部の折線１１９，１２１，１２５，１２７の夫々と、第２底蓋形成片１２２と連結貼着片１２４との間の折線１２３及び第４底蓋形成片１２８と連結貼着片１２９との間の折線１３０の夫々とに折癖がついており、このため一体化された第１底蓋形成片１２０と第２底蓋形成片１２２、一体化された第３底蓋形成片１２６と第４底蓋形成片１２８は夫々折り畳まれた元の状態に戻ろうとし、もって常時底蓋が開き易くなるのである。そしてまた、底蓋の閉じた状態を確実に保持する手段がなく、上記の如く第２底蓋形成片１２２の傾斜部１２２ａと第４底蓋形成片１２８の傾斜部１２８ａとが擦り合っている程度であるから、僅かな外力が加わっても底蓋が開き、保形できずに、真四角であるべき軸断面が歪になり易いのである。そして、このように軸断面が歪になると、これの内部に収容されているポスターやカレンダーにも外力が加わることになり、もってこれらが歪になったり、皺ができるという問題が生じることになる。【０００７】  本考案は上記の点に鑑みなされたものであって、底蓋を閉じた状態においてこれを確実に保持する手段を備え、もって保形力を高めて、配送中に外力が加わったとしても底蓋が開いたり、軸断面が歪になることを防止することができるようになした配送ケースを提供しようとするものである。
【課題を解決するための手段】
【０００８】    而して、本考案の要旨とするところは、矩形形状の厚紙からなり、幅方向に等間隔に設けた３本の長手方向に沿った折線を介して前面部、左側面部、背面部、右側面部を形成すると共に、該右側面部の側縁に折線を介して貼着片を連成し、前記前面部、左側面部、背面部、右側面部の夫々の上端部に、折線を介して適宜の形状の上蓋形成片を連成する一方、前記前面部の下端部に、折線を介して外縁部側の傾斜部の角度を４５度、左側面部側の傾斜部の角度を７０度とした台形状の第１底蓋形成片を連成し、前記左側面部の下端部に、折線を介して上面部側の傾斜部の角度を４５度、背面部側の傾斜部の角度を８５度とすると共に高さを前記第１底蓋形成片より高くなし、更に上面部側の傾斜部の略中央に折線を介して台形状の連結貼着片を連成してなる台形状の第２底蓋形成片を連成し、前記背面部の下端部に、折線を介して前記第１底蓋形成片と同形、同大の第３底蓋形成片を連成し、前記右側面部の下端部に、折線を介して前記第２底蓋形成片と同形、同大の第４底蓋形成片を連成し、前記各折線から直角に折曲すると共に前記右側面部に連成した貼着片を前記前面部の内面に貼着して筒状になし、更に前記第１底蓋形成片、第２底蓋形成片、第３底蓋形成片、第４底蓋形成片を夫々折線から内向きに折曲して、前記第２底蓋形成片に連成した連結貼着片を、前記第１底蓋形成片の外面に貼着すると共に、前記第４底蓋形成片に連成した連結貼着片を、前記第３底蓋形成片の外面に貼着し、前記第２底蓋形成片の先端部は前記第３底蓋形成片の内面に入り込んで重合し、前記第４底蓋形成片の先端部は前記第１底蓋形成片の内面に入り込んで重合するようになした配送ケースにおいて、
前記第１底蓋形成片の外縁部側の傾斜部及び前記第３底蓋形成片の第２底蓋形成片側の傾斜部の夫々上端部に係止突起を形成すると共に、前記第２底蓋形成片及び前記第４底蓋形成片の連結貼着片側の傾斜部の夫々上端部を円弧状に形成したことを特徴とする配送ケースにある。
【考案の効果】
【０００９】  本考案は上記の如き構成であり、底蓋を閉じた状態においてこれを確実に保持する手段として、第１底蓋形成片の外縁部側の傾斜部及び第３底蓋形成片の第２底蓋形成片側の傾斜部の夫々上端部に係止突起を形成したから、保形力が高まり、もって配送中に外力が加わったとしても底蓋が開いたり、軸断面が歪になることを防止することができるものである。
【図面の簡単な説明】
【００１０】
【図１】本考案の実施形態に係る配送ケースの展開状態図である。
【図２】同下端部分の拡大図である。
【図３】同組み立てた状態における下端部分の斜視図である。
【図４】同組み立てた状態における下端部分の内面側から看た平面図である。
【図５】同使用時における組み立て途中の状態の内面側から看た平面図である。
【図６】従来の配送ケースの展開状態図である。
【図７】同下端部分の拡大図である。
【図８】同組み立てた状態における下端部分の内面側から看た平面図である。
【図９】同保管時の状態の平面図である。
【図１０】同使用時における組み立て途中の状態の内面側から看た平面図である。
【考案を実施するための形態】
【００１１】    以下、本考案を実施するための形態について、図面を参照して説明する。
【００１２】  図中、１は配送ケースである。また、該配送ケース１は、矩形形状の厚紙２からなり、幅方向に等間隔に設けた３本の長手方向に沿った折線３，４，５を介して前面部６、左側面部７、背面部８、右側面部９を形成すると共に、該右側面部９の側縁に折線１０を介して貼着片１１を連成し、前記前面部６、左側面部７、背面部８、右側面部９の夫々の上端部に、折線１２，１３，１４，１５を介して適宜の形状の上蓋形成片１６，１７，１８，１９を連成する一方、前記前面部６の下端部に、折線２０を介して外縁部側の傾斜部２１ａの角度を４５度、左側面部７側の傾斜部２１ｂの角度を７０度とした台形状の第１底蓋形成片２１を連成し、前記左側面部７の下端部に、折線２２を介して上面部６側の傾斜部２３ａの角度を４５度、背面部８側の傾斜部２３ｂの角度を８５度とすると共に高さを前記第１底蓋形成片２１より高くなし、更に上面部６側の傾斜部２３ａの略中央に折線２４を介して台形状の連結貼着片２５を連成してなる台形状の第２底蓋形成片２３を連成し、前記背面部８の下端部に、折線２６を介して前記第１底蓋形成片２１と同形、同大の第３底蓋形成片２７を連成し、前記右側面部９の下端部に、折線２８を介して前記第２底蓋形成片２３と同形、同大の第４底蓋形成片２９を連成し、前記各折線３，４，５から直角に折曲すると共に前記右側面部９に連成した貼着片１１を前記前面部６の内面に貼着して筒状になし、更に前記第１底蓋形成片２１、第２底蓋形成片２３、第３底蓋形成片２７、第４底蓋形成片２９を夫々折線２０，２２，２６，２８から内向きに折曲して、前記第２底蓋形成片２３に連成した連結貼着片２５を、前記第１底蓋形成片２１の外面に貼着すると共に、前記第４底蓋形成片２９に連成した連結貼着片３０を、前記第３底蓋形成片２７の外面に貼着し、前記第２底蓋形成片２３の先端部は前記第３底蓋形成片２７の内面に入り込んで重合し、前記第４底蓋形成片２９の先端部は前記第１底蓋形成片２１の内面に入り込んで重合するようになしたものである点においては、前記従来の配送ケース１００と同様である。尚、３１は前記第４底蓋形成片２９と連結貼着片３０の間の折線である。
【００１３】  而して、本考案において特徴とする点は、前記第１底蓋形成片２１の外縁部側の傾斜部２１ａ及び前記第３底蓋形成片２７の第２底蓋形成片２３側の傾斜部２７ａの夫々上端部に係止突起３２，３３を形成すると共に、前記第２底蓋形成片２３及び前記第４底蓋形成片２９の連結貼着片２５，３０側の傾斜部２３ａ，２９ａの夫々上端部を円弧状に形成したことにある。
【００１４】  本考案は、上記の如く、底蓋を閉じた状態においてこれを確実に保持する手段として、第１底蓋形成片２１の外縁部側の傾斜部２１ａの上端部に係止突起３２を、且つまた第３底蓋形成片２７の第２底蓋形成片２３側の傾斜部２７ａの上端部に係止突起３３を夫々形成したことにより保形力が高まるものである。
【００１５】  即ち、配送ケース１を保管時の状態から開いて筒状に組み立てたとき、図４に示す如く、配送ケース１の内面側において、第１底蓋形成片２１の係止突起３２が第４底蓋形成片２９の傾斜部２９ａに係止すると共に、第３底蓋形成片２７の係止突起３３が第２底蓋形成片２３の傾斜部２３ａに係止するものである。これにより各底蓋形成片の内側への倒れが抑止されることになり、底蓋は閉じた状態が確実に保持され、配送ケース１の保形力が高められるものである。そして、これにより配送中に外力が加わったとしても底蓋が開いたり、軸断面が歪になることを防止することができるものである。
【符号の説明】
【００１６】  １  配送ケース
３，４，５，１０  折線
６  前面部
７  左側面部
８  背面部
９  右側面部
２１  第１底蓋形成片
２３  第２底蓋形成片
２５  連結貼着片
２７  第３底蓋形成片
２９  第４底蓋形成片
３０  連結貼着片
３２  係止突起
３３  係止突起
【図１】
0003162392.tif 000003
【図２】
0003162392.tif 000004
【図３】
0003162392.tif 000005
【図４】
0003162392.tif 000006
【図５】
0003162392.tif 000007
【図６】
0003162392.tif 000008
【図７】
0003162392.tif 000009
【図８】
0003162392.tif 000010
【図９】
0003162392.tif 000011
【図１０】
0003162392.tif 000012